(57)【要約】      （修正有）【課題】ＣＤＭＡ４５０システムからの信号を伝送・受信可能な折返しダイポールアンテナを提供する。【解決手段】アンテナの励起アーム及び接地アームを形成する導通ストリップを有する折返しダイポールアンテナ１００であって、励起アーム及び接地アームは導通ストリップ形状と対称に適合し、折返しダイポールＰＣＢ１０１の各面上のｍ形状の導通ストリップから成り、折返しダイポールＰＣＢ１０１が中へ設置されるプラスチックホルダー１０３と、折返しダイポールＰＣＢ１０１がプラスチックホルダー１０３中に設置されて直角に取り付けられる基底板１０４と、折返しダイポールＰＣＢ１０１中を通って延び、同軸ケーブルの一端において励起アームと接続する中心コアと、接地アームの中心導通脚に沿ってはんだ付けされる金属シールドを有し、かつ同軸ケーブルの他端がコネクタと共に基底板１０４を通って延びる同軸ケーブル、から構成する。【選択図】図１
2012156993.tif 000002
【特許請求の範囲】
【請求項１】
ＣＤＭＡ４５０システムからの信号の伝送及び受信が可能な折返しダイポールアンテナであって、
折返しダイポールプリント回路板（ＰＣＢ）の各面上に画定され、アンテナの励起アーム及び接地アームを形成する導通ストリップを有する折返しダイポールプリント回路板（ＰＣＢ）と、前記励起アーム及び接地アームは導通ストリップ形状と対称状に適合し、前記ダイポールプリント回路板（ＰＣＢ）の各面上の導通ストリップが中心導通脚と２つの対称的に形状化された折返しアームを有するｍ字状の導通ストリップから成り、及び前記中心導通脚の幅が前記２つの折返しアームの幅よりも薄く構成されており、
前記折返しダイポールプリント回路板（ＰＣＢ）が中へ設置されるプラスチックホルダーと、
前記折返しダイポールプリント回路板（ＰＣＢ）がプラスチックホルダーを通って設置されて基底板上に直立に取り付けられる基底板と、
折返しダイポールプリント回路板（ＰＣＢ）中を通って延び、同軸ケーブルの一端において励起アームと接続する中心コアと、接地アームの中心導通脚に沿ってはんだ付けされる金属シールドを有し、かつ同軸ケーブルの他端がコネクタと共に基底板を通って延びる前記同軸ケーブル、から構成されるダイポールアンテナ。
【請求項２】
プラスチックホルダーがポリテトラフルオロエチレンから作製され、かつＩビーム形状のプラスチック片であることを特徴とする請求項１項記載の折返しダイポールアンテナ。
【請求項３】
プラスチックホルダーが、ウェブによって連結された上側フランジと下側フランジから成り、及び折返しダイポールプリント回路板（ＰＣＢ）を前記上側フランジと前記ウェブの間に受け入れるように切り込まれたスロットが該プラスチックホルダーによって画成されることを特徴とする請求項１項記載の折返しダイポールアンテナ。
【請求項４】
プラスチックホルダーの片側に、同軸ケーブルがそこを通って延びることができる切断部分が設けられることを特徴とする請求項３項記載の折返しダイポールアンテナ。
【請求項５】
プラスチックホルダーによって、基底板上へ直角に置かれて折返しダイポールプリント回路板（ＰＣＢ）が支えられることを特徴とする請求項１項記載の折返しダイポールアンテナ。
【請求項６】
指向性アンテナとするために、基底板が折返しダイポールアンテナへの反射板として設けられることを特徴とする請求項１項記載の折返しダイポールアンテナ。
【請求項７】
２つの対称的に形状化された折返しアームの平均全長Ｌが約２４０ｍｍ、幅Ｗが約２４ｍｍであり、及び中心導通ストリップの長さが約６２ｍｍ、幅が５ｍｍであることを特徴とする請求項１項記載の折返しダイポールアンテナ。
【請求項８】
前記折返しダイポールプリント回路板（ＰＣＢ）の高さが約２００ｍｍであることを特徴とする請求項１項記載の折返しダイポールアンテナ。
【請求項９】
前記折返しダイポールアンテナの前後電界比が１５ｄＢ以上であることを特徴とする請求項１項記載の折返しダイポールアンテナ。
【請求項１０】
前記折返しダイポールアンテナが５００Ｗの最大入力電力を有することができることを特徴とする請求項１項記載の折返しダイポールアンテナ。
【請求項１１】
９０°±５°の水平ビーム幅、及び６±０．５ｄＢのゲインに適合していることを特徴とする請求項１項記載の折返しダイポールアンテナ。
【請求項１２】
前記基底板の長さ及び幅がそれぞれ４００ｍｍであることを特徴とする請求項１項記載の折返しダイポールアンテナ。
【請求項１３】
前記ｍ字状の導通ストリップは間隙を画成し、該間隙は、ｍ字状の導通ストリップの対称に形状化された折返しアームを第一導通ストリップと第二導通ストリップとに分け、第一導通ストリップは、前記対称に形状化された折返しアームの一方と逆Ｕ字形状導通ストリップを形成する中心導通脚を含み、第二導通ストリップは逆Ｌ字形状導通ストリップを形成する他方の対称に形状化された折返しアームを含むことを特徴とする請求項１項記載の折返しダイポールアンテナ。
【請求項１４】
前記折返しダイポールアンテナが４５０〜４７０ＭＨｚで作動可能であることを特徴とする請求項１項記載の折返しダイポールアンテナ。
【発明の詳細な説明】
【技術分野】
【０００１】
本発明は折返しダイポールアンテナ（フォールデッドダイポールアンテナ）に関する。本発明は、より詳細には４５０〜４７０ＭＨｚの周波数の受信に適合した指向性折返しダイポールアンテナに関する。
【背景技術】
【０００２】
移動通信産業は通信産業界において最も急速に成長している分野の一つである。移動通信は、ラジオ、通信機器、及びコンピュータ技術をグループ化することにより、人々に移動しながら広範囲に亘ってコミニュケーションを行うことを可能とする。
【０００３】
移動通信には、第三世代（３Ｇ）としてより知られる一群の標準が含まれている。３Ｇシステムは、同時データサービスや音声通信を含む高速通信サービスを可能とする。３Ｇはまた、ユーザーに移動中どこでもインターネットにアクセスすることを可能とする。重要な３Ｇ標準として符号分割多元接続 (Code Division Multiple Access) ２０００（ＣＤＭＡ２０００）がある。
【０００４】
ＣＤＭＡ２０００は３Ｇ移動通信標準の一部であり、チャネルアクセス方法としてＣＤＭＡを用いている。４５０ＭＨｚ周波数帯域を受信可能範囲とする有効性及び性能が証明されているＣＤＭＡ２０００としてＣＤＭＡ４５０がある。ＣＤＭＡ４５０は、通信技術において急速に台頭している分野の一つである。ＣＤＭＡ４５０は低周波数と長距離受信可能範囲が要求される地域のユーザーへ受信可能範囲を提供することを可能とするものである。このようなユーザーとしては、例えば地方へ頻繁に旅行するユーザーや、地方に住んでいるユーザーが挙げられる。
【０００５】
移動通信産業においては種々周波数域が利用可能であり、従来の設計アプローチでは多数のアンテナが取り上げられている。ダイポールアンテナは、典型例として、平衡並列ケーブル無線周波（ＲＦ）伝送回線を用いて送信可能なラジオアンテナとして用いられている。しかしながら、この種の回線は一般的ではないため、同軸ケーブル等の非平衡給電線を用いる。この給電線は、該給電線がアンテナと連結される部位においてアンテナ素子システム中へ挿入される。ダイポールアンテナはＣＤＭＡに従って作動する装置に用いられる単一周波数帯域における作動に最も適している。
【０００６】
４５０〜４７０ＭＨｚ等の低周波数域用の従来のアンテナ設計は概して大型で嵩張るものであった。このようなアンテナは小型のアンテナが必要とされる用途には適しない。
【０００７】
各アンテナ素子における信号制御についても性能責任を考慮しなけれぱならないため、通信プロセスが複雑化し電力消費も増大する。典型的には、より良好な信号強度を得るためには、デシベル（ｄＢ）ゲインが高いことが好ましい。しかしながら、ゲインの高いアンテナは、アンテナの給電ネットワークが複雑化するため製造コストがより高額となる。
【０００８】
従って、４５０〜４７０ＭＨｚの稼動周波数をサポートできる、相対的にサイズが小型かつコンパクトであるアンテナが必要とされていることが理解されよう。かかる設計によるアンテナは十分なインピーダンス帯域を示し、かつ組立が容易であり短時間で製造可能である。アンテナがよりコスト効率的となり、さらに従来技術の欠点を克服できるより優れた性能を与えられるならば更に有利であろう。
【発明の概要】
【発明が解決しようとする課題】
【０００９】
本発明は、ＣＤＭＡ４５０システムをサポートできる、小型かつコンパクトな折返しダイポールアンテナを提供することを目的とする。本発明の一実施態様によれば、本折返しダイポールアンテナは、折返しダイポールＰＣＢ、同軸ケーブル及びＳＭＡコネクタ、アクリロニトリルブタジエンスチレン（ＡＢＳ）製ホルダー、及びアルミニウム製基底板から構成される。
【課題を解決するための手段】
【００１０】
本発明の一つの観点においては、ＣＤＭＡ４５０システムからの信号の送信・受信が可能な折返しダイポールアンテナが提供される。本折返しダイポールアンテナは、
折返しダイポールプリント回路板（ＰＣＢ）であって、その各側面上には導通ストリップが画定・配置されてアンテナの励起アームと接地アームが形成され、該励起アーム及び接地アーム双方は対称状に導通ストリップ形状と適合し、該ＰＣＢの各側面上の導通ストリップは中心導通脚を有するｍ字状の導通ストリップと２つの対称形状の折返しアームから成り、及び該中心導通脚は該２つの折返しアームよりも幅が狭くなっている、折返しダイポールＰＣＢと、
折返しダイポールＰＣＢが中へ設置されるプラスチックホルダーと、
前記折返しダイポールＰＣＢが前記プラスチックホルダーを介して基底板上へ直立に取り付けられる基底板と、
前記折返しダイポールＰＣＢを通って延びて同軸ケーブルの一端において前記励起アームと接続する中心コアと前記接地アームの中心導通脚に沿ってはんだ付けされた金属シールドを有する同軸ケーブルであって、該同軸ケーブルの他端は基底板を通って延びてコネクタと接続される同軸ケーブル、から構成される。
【００１１】
一実施態様においては、前記プラスチックホルダーはポリテトラフルオロエチレンから成るＩビーム形状片として作製される。前記プラスチックホルダーにはさらに、ウェブによって連結される上側フランジと下側フランジが含まれ、プラスチックホルダーにはさらに、上側フランジからウェブ中へ切り込まれてその間に折返しダイポールＰＣＢを受け取るスロットが画成される。前記プラスチックホルダーの片側に同軸ケーブルの通り抜けを可能にする切断部を設けることも可能である。このプラスチックホルダーは折返しダイポールＰＣＢを基底板上に真っ直ぐに支えるようになっている。
【００１２】
別の実施態様においては、指向性アンテナとして作製するために、前記基底板は反射板として折返しダイポールアンテナへ適合化される。
【００１３】
さらに別の実施態様において、前記２つの対称に形状化された折返しアームをそれらの平均全長Ｌを約２４０ｍｍ、及び幅Ｗを約２４ｍｍに寸法化し、さらに中心導通ストリップを用いてその長さを約６２ｍｍ、及び幅を５ｍｍに構成することができる。
【００１４】
さらに別の実施態様においては、前記折返しダイポールＰＣＢはその高さを約２００ｍｍに構成される。
【００１５】
さらに別の実施態様では、前記折返しダイポールアンテナの前後電界比は１５ｄＢ以上とされる。このような折返しダイポールアンテナは、最大入力電力を５００Ｗ、水平ビーム幅を９０°±５°、及びゲインを６±０．５ｄＢとすることも可能である。
【００１６】
また、前記基底板の長さ及び幅は４００ｍｍとしてもよい。
【００１７】
さらに別の実施態様においては、前記字形状導通ストリップによって間隙が画成され、この間隙によって前記ｍ字状導通ストリップの対称に形状化された折返しアームが第一導通ストリップと第二導通ストリップに分離され、この第一導通ストリップには前記対称に形状化された折返しアームの一方と逆Ｕ字形状の導通ストリップ形成する前記中心導通脚が含まれ、他方第二導通ストリップには逆L字状導通ストリップを形成する他方の対称に形状化された折返しアームが含まれる。
【図面の簡単な説明】
【００１８】
【図１】本発明の一実施態様に従った折返しダイポールアンテナの構造を示した図である。
【図２】図１に示した折返しダイポールアンテナの拡大分解図である。
【図３】図１に示した折返しダイポールアンテナの正面図である。
【図４】折返しダイポールアンテナの側面図である。
【図５】図４に示した折返しダイポールアンテナの断面図を近接して見た図である。
【図６】プラスチックホルダーの透視図である。
【発明を実施するための手段】
【００１９】
本発明について、以下に記載した非限定的実施態様を用いて添付図面を参照しながら説明する。
以下に記載した多数の特定例及び代替例は本発明の特徴を理解するためのものである。しかしながら、本発明は、当業者にとっては、以下の具体的な説明がなくても実施可能なことが明らかである。詳細のいくつかは本発明をあいまいなものとしないために冗長には記載していない。  参照を容易にするため、図面を通して共通の符号を用いて図面に共通する同一あるいは類似の特徴について言及している。
【００２０】
図１〜５は、本発明の一実施態様に従った折返しダイポールアンテナ（１００）を示した図である。図１は、４５０〜４７０ＭＨｚの周波数域において作動するＣＤＭＡ２０００、すなわちＣＤＭＡ４５０に利用可能な折返しダイポールアンテナ（１００）の斜視図である。この折返しダイポールアンテナ（１００）には折返しダイポールプリント回路板（ＰＣＢ）（１０１）、同軸ケーブル（１０２）、プラスチックホルダー（１０３）及び基底板（１０４）が含まれている。前記折返しダイポールＰＣＢ（１０１）はほぼ逆Ｔ字形断面を形成するプラスチックホルダー（１０３）を介して基底板（１０４）上へ直立に取り付けられる。同軸ケーブル（１０２）はその一端が折返しダイポールＰＣＢ（１０１）へはんだ付け(soldered)され、かつ基底板（１０４）の中心へ向かって延びている。
【００２１】
図２は図１に示した折返しダイポールアンテナ（１００）の分解図である。折返しダイポールＰＣＢ（１０１）は、該折返しダイポールＰＣＢ（１０１）の両「ダイポールアーム」上に画成された導通ストリップ（１０５）を伴うほぼ矩形のマイクロストリップアンテナである。このマイクロストリップの詳細な構成については以下に於いて別途説明する。プラスチックホルダー（１０３）は、上側フランジ（１０７）と下側フランジ（１０８）がウェブ（１０９）へ連結されて成るＩ−ビーム形状のプラスチック片（１０６）を含んで構成される。上側フランジ（１０７）からウェブ（１０９）中へ切り込まれたスロット（１１０）はその間に折返しダイポールＰＣＢ（１０１）を受け取るように形成されている。プラスチックホルダー（１０３）の片面には、同軸ケーブル（１０２）が折返しダイポールＰＣＢ（１０１）の一つのダイポールアームへ取り付けられる際に通過できるように切断部分（１１１）が設けられる。プラスチックホルダー（１０３）は例えばアクリロニトリルブタジエンスチレン（ＡＢＳ）から作製可能であり、基底板（１０４）上へ折返しダイポールＰＣＢ（１０１）を保持するためのサポートとして用いることができる。
【００２２】
さらに図２において、基底板（１０４）は、軽量かつ成形容易な特長によりアルミニウムを用いて作製可能である。基底板（１０４）は折返しダイポールＰＣＢ（１０１）に対して反射板として機能し、これによって折返しダイポールアンテナ（１００）を指向性にすることができる。指向性アンテナは同一または類似形状の非指向性アンテナよりも相対的に高いゲインを与える。基底板（１０４）の寸法によって、電圧定在波比（ＶＳＷＲ）に対して小さな作用の元に照射パターンのビーム幅を制御する。ＶＳＷＲは負荷が該負荷を駆動する回路とどれくらい適合するかを判定する電圧比である。折返しダイポールアンテナ（１００）のビーム幅はアンテナゲインに影響する。そのため、基底板のサイズを変更することにより折返しダイポールアンテナ（１００）に別の性能を与えることが可能である。基底板（１０４）のサイズは、アンテナがエッチングされる材料の誘電率に応じ、好ましくはアンテナの作動周波数の１／２波長付近とすべきである。本実施態様において、折返しダイポールアンテナ（１００）の水平ビーム幅は９０°±５°であり、ゲインは６±０．５ｄＢである。基底板（１０４）の全長及び全幅はそれぞれ約４００ｍｍである。基底板（１０４）の中心からやや離れた部位にはさらに通孔（１１２）が設けられる。
【００２３】
図３は図１に示した折返しダイポールアンテナ（１００）の正面図である。図中、導通ストリップを形成する素子はそれぞれの寸法で示している。図示しているように、折返しダイポールＰＣＢ（１０１）は基底板（１０４）上へ直角に取り付けられる。取り付けに際しては、プラスチックホルダー（１０３）の下側フランジ（１０８）が基底板（１０４）へ取り付けられる。折返しダイポールＰＣＢ（１０１）はスロット（１１０）中へ設置されてプラスチックホルダー（１０３）によって挟みこまれる（図２参照）。必要に応じて、折返しダイポールＰＣＢ（１０１）をスナップーイン型のピン等を通してプラスチックホルダー（１０３）へさらに固定することも可能である。折返しダイポールＰＣＢ（１０１）を基底板（１０４）へ取り付ける際に、切断部分（１１１）を用いて同軸ケーブル（１０２）をプラスチックホルダー（１０３）中を通し基底板（１０４）へ達するように配設することが可能である。
【００２４】
さらに図３から理解されるように、折返しダイポールＰＣＢ（１０１）には、それぞれアンテナ素子を構成する２つの対称なｍ字状の導通ストリップが折返しダイポールＰＣＢ（１０１）の基板の各面上に形成されている。前記ｍ字状（下側の場合）導通ストリップの片面は接地アームとして機能し、他面は無線信号を伝送する励起アームとしても知られるアンテナ素子となる。ｍ字状導通ストリップのそれぞれは中心導通脚と２つの対称形状の折返しアームを有し、これら２つの対称形状の折返しアームは折返しダイポールＰＣＢ（１０１）の基板と並行して画定される幅厚なストリップであり、及び前記中心導通ストリップは前記幅厚ストリップの中心から下方へ延び、かつ前記基板の反対側へ向かって延びる幅薄ストリップ（１２０）である。この幅薄ストリップ（１２０）を用いて折返しダイポールアンテナ（１００）のインピーダンスを必要とされる信号源へ適合させることが可能である。この実施態様において、前記幅薄ストリップ（１２０）の長さは約６２ｍｍであり、その幅は約５ｍｍである。該幅薄ストリップ（１２０）の長さはプラスチックホルダー（１０３）へ達する前に終わっている。前記ｍ字状導通ストリップにはさらに、第一導通ストリップ（１１８）及び第二導通ストリップ（１１９）が含まれる。第一導通ストリップ（１１８）と第二導通ストリップ（１１９）は、間隙（１２１）によって、第一導通ストリップ（１１８）によって逆Ｌ形状ストリップが画定され、及び第二導通ストリップ（１１９）によって逆Ｕ形状ストリップが画定されるように分離される。簡単に言えば、ｍ字状導通ストリップ全体は、平均長さＬ（１１５）、幅Ｗ（１１６）、及び高さＨ（１１７）として表現される。本実施態様においてアンテナのインピーダンスを適合させるため、前記導通ストリップの寸法を、Ｌ（１１５）として約２４０ｍｍ、Ｗ（１１６）として幅厚ストリップの幅である約２４ｍｍ、及びＨ（１１７）として約２００ｍｍに構成することが可能である。
【００２５】
先述したように、長さＬ（１１５）は、折返しダイポールアンテナ（１００）の所望される作動周波数の１／２波長に依存して決められる。好ましくは、長さＬ（１１５）は１／２波長の倍数にすべきである。同様に、幅Ｗ（１１６）も、所望の作動周波数を採用するための、適合インピーダインスに依存して変えられる。図３に示すように、図示された折返しダイポールＰＣＢ（１０１）の図示されている面は折返しダイポールＰＣＢ（１０１）の接地アームであり、励起アーム（図示せず）は折返しダイポールＰＣＢ（１０１）の他方の面上に画定され、これら両アームは対称に形状化される。
【００２６】
さらに図３に示すように、同軸ケーブル（１０２）の一端に上側末端部（１１３）、及び他方の一端に下側末端部（１１４）が設けられる。上側末端部（１１３）は折返しダイポールＰＣＢ（１０１）の上端方向の近接末端部（１２２）へはんだ付けされる。同軸ケーブル（１０２）の金属シールドは幅薄ストリップ（１２０）に沿ってはんだ付けされ、通孔（１１２）を通して延長される。前記下側末端部（１１４）はサブミニチュア版（ＳＭＡ）雌型コネクタ等のコネクタを用いて終点とされる。
【００２７】
図４は折返しダイポールアンテナ１００の側面図であり、逆Ｔ字形の断面が示されている。同軸ケーブル（１０２）は、第一導通ストリップ（１１８）と第二導通ストリップ（１１９）が画成されている「接地アーム」上において折返しダイポールＰＣＢ（１０１）へはんだ付けされる。同軸ケーブル（１０２）のコア導体は折返しダイポールＰＣＢ（１０１）を通って延び、該折返しダイポールＰＣＢ（１０１）の他面上の「励起アーム」と電気的に接続され、該同軸ケーブル（１０２）の金属シールドは「接地アーム」側において幅薄ストリップへ電気的に接続される。同軸ケーブル（１０２）は幅薄ストリップのラインに沿って下方へ延び、基底板（１０４）のスルーホール（１１２）を通って延びるコネクタによって終点とされ、最終的に折返しダイポールＰＣＢ（１０１）の「接地アーム」側へアースされている。
【００２８】
図５は図４に示した折返しダイポールアンテナ（１００）の近接図である。同軸ケーブル（１０２）の上側末端部（１１３）において内側（コア）導体（１２３）は折返しダイポールＰＣＢ（１０１）の基板中を通過して他方側において第一導通ストリップへ接続している。同軸ケーブル（１０２）の外側導体（１２４）は折返しダイポールＰＣＢ［（１０１）の「接地アーム」上において、第二導通ストリップ（１１９）の幅薄ストリップ（１２０）に沿ってはんだ付けされている。
【００２９】
図６はプラスチックホルダー（１０３）の斜視図である。プラスチックホルダー（１０３）を側面から見れば、Ｉビーム片（１０８）として見ることができる。プラスチックホルダー（１０３）の上側フランジ（１０７）の長さは下側フランジ（１０８）に比べて短くなっている。これら上側フランジ（１０７）と下側フランジ（１０８）はウェブ（１０９）によって一体に連結されている。折返しダイポールＰＣＢ（１０１）のためのスロット（１１０）が上側フランジ（１０７）の頂部からウェブ（１０８）中へ切り込み形成されている。しかしながら、該スロット（１１０）は下側フランジ（１０８）中には切り込まれていない。プラスチックホルダー（１０３）上に切断部分（１１１）が形成されていることにより、同軸ケーブル（１０２）は折返しダイポールＰＣＢ（１０１）の「接地アーム」側を向いたまま通過することが可能とされている。
【００３０】
図１に示した本発明の一実施態様においては、折返しダイポールアンテナ（１００）を最大入力電力として５００Ｗを許容でき、かつ５０Ωの入力インピーダンスをもつように適合させることが可能である。折返しダイポールアンテナ（１００）では避雷防護技術としてＤＣアースが用いられる。この技術は、最小無線周波電圧点にＤＣアースを適用して、無線エネルギーを減ずることなく、地面へ静電荷を導通させることによって有効化される。
【００３１】
折返しダイポールアンテナ（１００）のＶＳＷＲは２未満である。指向性アンテナの前部・後部間の電力ゲインを判定する前後電界比は１５ｄＢ以上である。
【００３２】
本実施態様における折返しダイポールアンテナ（１００）の寸法は、同じく４５０〜４７０ＭＨｚ域で作動する他の従来的設計によるアンテナよりも小型である。折返しダイポールアンテナ（１００）の全重量は約１Ｋｇであり、小型アンテナを必要とする用途及び商業目的に適する。本発明に係るアンテナは壁あるいは天井に固定可能であり、あるいは室内受信及び小空間に適する。本発明に係る折返しダイポールアンテナ（１００）は組立容易なタイプであり、製造時間を大幅に短縮することが可能である。従来のアンテナは低周波数を受信するためにはサイズが大きく嵩張ったため製造が複雑化した。本発明に係るアンテナは、従来型アンテナに比べてよりコスト効率的である。
【００３３】
上記において本発明の種々実施態様について示し、本発明の実施方法について実施例を示した。しかしながら、本発明の範囲を逸脱することなく、本発明のこれら特定の実施態様に変化、変更、変形を加え、あるいは組み合わせを行うことが可能である。上記実施例、実施態様、教示、及び図面は単なる実施態様であり、特許請求の範囲に於いて限定される本発明の適用柔軟性及び利点を説明するために示されたものである。
【図１】
2012156993.tif 000003
【図２】
2012156993.tif 000004
【図３】
2012156993.tif 000005
【図４】
2012156993.tif 000006
【図５】
2012156993.tif 000007
【図６】
2012156993.tif 000008
【外国語明細書】
2012156993.tif 000009
2012156993.tif 000010
2012156993.tif 000011
2012156993.tif 000012
2012156993.tif 000013
2012156993.tif 000014
2012156993.tif 000015
2012156993.tif 000016
2012156993.tif 000017
2012156993.tif 000018
2012156993.tif 000019
2012156993.tif 000020
2012156993.tif 000021
2012156993.tif 000022
2012156993.tif 000023
2012156993.tif 000024
【図１】
2012156993.tif 000025
【図２】
2012156993.tif 000026
【図３】
2012156993.tif 000027
【図４】
2012156993.tif 000028
【図５】
2012156993.tif 000029
【図６】
2012156993.tif 000030